(57)【要約】【課題】バリの背丈の高低に関係なくバリの除去効率を高くして、交差穴の交差部のバリ取りと面取り加工を効率よくできる、交差穴加工装置および交差穴の稜線加工方法を提供する。【解決手段】第1の穴Ｗ１ａと第２の穴Ｗ２ａの交差部を有する工作物Ｗの、穴の開口へ、加工液を注入する注入口５を備える。交差部に配置される流路調整具９の先端部９１の空孔９２にエアを充填することで、流路調整具９と稜線の隙間を調整する。バリ取りの経過時間に対応して稜線と流路調整具９の隙間を調整することで、交差部の稜線に発生したバリＷｂのバリ取りと、稜線の面取りを効率よく行う。【選択図】図３
2015104791.tif 000002
【特許請求の範囲】
【請求項１】
第1の穴と、前記第1の穴に交差する第２の穴を有する工作物の、前記第1の穴の開口と前記第２の穴の開口の少なくも1つの前記開口へ、液体と硬質粒子を混合した加工液を注入する加工液注入装置を備え、前記第1の穴と前記第２の穴の交差部の稜線に発生したバリのバリ取りと、前記稜線を面取りする、交差穴加工装置において、
前記交差部に配置される流路調整具と、
前記稜線と前記流路調整具の隙間を調整する隙間調整手段を備える交差穴加工装置。
【請求項２】
前記流路調整具は、前記流路調整具は、内部に空孔を備えた弾性体で構成され、
前記隙間調整手段は、前記空孔に流体を充填して前記流路調整具を膨張させる流体供給手段を備える請求項１に記載の交差穴加工装置。
【請求項３】
バリ取りの経過時間に対応して前記稜線と前記流路調整具の隙間を調整するように、前記隙間調整手段を制御する制御手段を備える請求項１または請求項２に記載の交差穴加工装置。
【請求項４】
請求項１ないし請求項３のいずれか１項に記載の交差穴加工装置を用いて、第1の穴と前記第1の穴に交差する第２の穴を有する工作物の交差部の稜線のバリ取り、または前記稜線の面取りを行う交差穴の稜線加工方法。
【発明の詳細な説明】
【技術分野】
【０００１】
本発明は、工作物に２つの穴が交差して形成される交差穴の、交差部の稜線に発生したバリの除去や、稜線部の面取り加工などを行う、交差穴加工装置および交差穴の稜線加工方法に関するものである。
【背景技術】
【０００２】
内部に複数の管路を連通して流体を所望に作用を行わせる部材において、管路を交差する穴で形成する場合に、穴の交差部の稜線にバリが発生する。バリが発生すると流体の流れが乱されたり、剥離したバリ片が管路内部で詰まったりするため、バリを除去することが重要である。交差部のバリ取りの方法として、穴の開口部から液体と硬質粒子の混合した加工液を穴に注入して、交差部のバリの有る稜線側の流路に流路調整具を固定し、稜線と流路調整具の隙間を狭くしてバリ近傍の流路を狭くすることで、バリ近傍における加工液の流速を速くして、交差部のバリを除去する技術がある。（例えば、特許文献１参照）
【先行技術文献】
【特許文献】
【０００３】
【特許文献１】特開平７−２３７１９７号公報
【発明の概要】
【発明が解決しようとする課題】
【０００４】
従来技術で、交差部のバリを効率よく除去するためには、バリ近傍における加工液の流速を所定の速度に設定することが重要である。このため、加工液の流量とバリ近傍の流路の広さが適切である必要がある。しかし、バリの背丈の高さより小さな隙間に設定するとバリが流路調整具により押し付けられて除去できなくなるため、最大のバリの高さより隙間を小さくすることができない。このため、流路調整具と稜線の隙間は、バリの最大高さより大きな隙間となる。一般に、バリの背丈が高いほど除去が容易で、低いものは除去が困難である。このため、背丈の低いバリの除去に時間を要し、全体としてのバリ除去時間が長くなる。
本発明は上記事情に鑑みてなされたものであり、バリの背丈の高低に関係なくバリの除去効率を高くして、交差穴の交差部のバリ取りと面取り加工を効率よくできる、交差穴加工装置および交差穴の稜線加工方法を提供することを目的とする。
【課題を解決するための手段】
【０００５】
上記の課題を解決するための請求項１に係る発明の特徴は、第1の穴と、前記第1の穴に交差する第２の穴を有する工作物の、前記第1の穴の開口と前記第２の穴の開口の少なくも1つの前記開口へ、液体と硬質粒子を混合した加工液を注入する加工液注入装置を備え、前記第1の穴と前記第２の穴の交差部の稜線に発生したバリのバリ取りと、前記稜線を面取りする、交差穴加工装置において、前記交差部に配置される流路調整具と、前記稜線と前記流路調整具の隙間を調整する隙間調整手段を備えることである。
【０００６】
請求項２に係る発明の特徴は、請求項１に係る発明において、前記流路調整具は、内部に空孔を備えた弾性体で構成され、前記隙間調整手段は、前記空孔に流体を充填して前記流路調整具を膨張させる流体供給手段を備えることである。
【０００７】
請求項３に係る発明の特徴は、請求項１または請求項２に係る発明において、バリ取りの経過時間に対応して前記稜線と前記流路調整具の隙間を調整するように、前記隙間調整手段を制御する制御手段を備えることである。
【０００８】
請求項４に係る発明の特徴は、請求項１ないし請求項３のいずれか１項に記載の交差穴加工装置を用いて、第1の穴と前記第1の穴に交差する第２の穴を有する工作物の交差部の稜線のバリ取り、または前記稜線の面取りを行うことである。
【０００９】
請求項1に係る発明によれば、流路調整具と稜線の隙間を調整することで、この隙間を通過する加工液の流速を調整することができる。バリ除去の効率は流速により変化し、高速であるほど効率が高くなる。隙間調整手段により所望の隙間を設定することで、所望の効率でバリを除去することができる交差穴加工装置を実現できる。
【００１０】
請求項２に係る発明によれば、内部に空孔を備えた弾性体で構成された流路調整具に流体供給手段により流体を充填することで流路調整具を膨張させることができる。流路調整具の膨張度合いにより、流路調整具と稜線の隙間を所望の隙間に容易に調整することができる交差穴加工装置を実現できる。
【００１１】
請求項３に係る発明によれば、バリ除去の進行状況に応じて流路調整具と稜線の隙間を最適の隙間に調整することができ、バリの除去や、稜線の面取りを効率よく行う交差穴加工装置を実現できる。
【００１２】
請求項４に係る発明によれば、請求項１ないし請求項３のいずれか１項に記載の交差穴加工装置を用いることで、交差穴の稜線部の加工液の流速を速くすることが可能で、稜線に発生するバリの除去や、稜線の面取りを効率よく行える交差穴の稜線加工方法を実現できる。
【発明の効果】
【００１３】
本発明によれば、バリの背丈の高低に関係なくバリの除去効率を高くして、交差穴の交差部のバリ取りと面取り加工を効率よくできる、交差穴加工装置および交差穴の稜線加工方法を提供できる。
【図面の簡単な説明】
【００１４】
【図１】本発明の実施形態における交差穴加工装置の全体概念図である。
【図２】交差穴の交差部を示す断面図である。
【図３】本発明の実施形態における流路調整具と交差部における配置状態を示す断面図である。
【図４】本発明のバリ取り時の流路調整具と交差部の状況を示す図である。
【図５】本発明のバリ取りの工程を示す工程図である。
【図６】本発明の変形態様における流路調整具と交差部における配置状態を示す断面図である。
【図７】図６のＡ−Ａ断面図である。
【発明を実施するための形態】
【００１５】
本発明の実施形態を説明する。
図１に示す交差穴加工装置１は、加工液注入装置を構成するタンク２、ポンプ３、管路４、注入口５を備え、工作物Ｗを保持する保持台６を備えている。タンク２内の加工液は、ポンプ３により管路４を経由して、工作物Ｗに装着された注入口５に供給され、工作部Ｗの内部を加工する。加工終了後の加工液は、保持台６からタンク２に連通する回収管路７によりタンク２に回収される。加工液は、水や油の液体と、アルミナや炭化ケイ素粉末等の硬質粒子の混合物であり、分離するのを防止するため、タンク２内の加工液を撹拌する撹拌装置８をタンク２の上部に備えている。保持台６上には、流路調整具９を移動する流路調整具駆動装置１０が固定されている。流路調整具駆動装置１０は、流路調整具９を、図示しないモータにより前後進運動させて、所望の位置に位置決めできる。また、流路調整具９には、流体供給手段を構成する切換弁１２とエア源１１が管路１３を介して連結されている。
【００１６】
交差穴加工装置１は、所定の操作を実行することで工作物Ｗの交差穴の稜線を加工する制御装置３０を備えている。制御装置３０の機能的構成として、加工液の供給を制御する加工液制御部３１、流路調整具駆動装置１０と切換弁１２を制御する流路調整具制御部３２などを具備している。
【００１７】
ここで、工作部Ｗの交差穴の種類について説明する。
図２の（ａ）図に示すように、貫通穴Ｗ２ａ（第1の穴）を形成後に上部側からドリルで貫通穴Ｗ１ａ（第２の穴）を形成して交差穴を構成した場合、バリＷｂは、上側の貫通穴Ｗ１ａの周囲の稜線に発生する。図２の（ｂ）図に示す、貫通穴Ｗ２ａを形成後に上部側からドリルで止まり穴Ｗ１ｂを形成した場合にも、バリＷｂは、上側の止まり穴Ｗ１ｂの周囲の稜線に発生する。
【００１８】
図３は、工作物Ｗと流路調整具９を示す断面模式図であり、貫通穴Ｗ２ａから交差部に流路調整具９を挿入した様子を示す。隙間調整手段を構成するため、流路調整具９は先端部９１がゴムで成形されており内部に空孔９２を備え、先端部９１は軸９３に連結し、軸９３は内部にエア管路９４を備えている。空孔９２とエア管路９４は連通しており、エア管路９４に管路１３を経由してエアを供給することで、先端部９１を膨張させて稜線との隙間を調整することができる。
ここで、先端部９１はゴムで成形された事例で説明したが、樹脂やダイヤフラム状の金属など、弾性変形可能な弾性体で成形されていればよい。
【００１９】
以下に、交差穴加工装置１の作動を図４、図５に基づき説明する。
工作物Ｗを保持台６に取り付ける（Ｓ１）。注入口５を貫通穴Ｗ１ａのバリの発生している側の開口部に装着する。ここでは、磁力により工作部Ｗに吸着する（Ｓ２）。図４の（ａ）図に示すように、流路調整具９を流路調整具駆動装置１０により貫通穴Ｗ２ａの開口から、貫通穴Ｗ２ａと貫通穴Ｗ１ａの交差部まで挿入する。このとき、流路調整具９の先端部９１は収縮した状態であり、先端部９１と稜線の隙間はｔ０である。ｔ０の大きさはバリＷｂの背丈の最大値より大きな値に設定されている（Ｓ３）。ポンプ３を起動して加工液を、注入口５を経由して貫通穴Ｗ１ａ内部に注入する。加工液は先端部９１と稜線の隙間から貫通穴Ｗ２ａに向かって流出し、加工液から受ける力が大きいため除去されやすい背丈の大なバリから除去が始まる（Ｓ４）。
【００２０】
切換弁１２を切換えて、エア源１１からエアを流路調整具９に給気して空孔９２にエアを充填する。給気にともない先端部９１は膨張し、先端部９１と稜線の隙間は狭くなり、所定の時間経過後に、図４の（ｂ）図に示すように隙間ｔ１となる。隙間が狭いほど、加工液の流速度は速くなり、背丈の低いバリも効率よく除去できる。給気の速度は、バリの除去能率にあわせて稜線のバリ取りと面取りに必要な時間が確保できる速度にあらかじめ設定されている（Ｓ５）。切換弁１２を切換えて、流路調整具９からエアを排気する。排気につれ先端部９１は収縮し、先端部９１と稜線の隙間は広くなり、図４の（ｃ）図に示すように隙間ｔ０となる（Ｓ６）。ポンプ３を停止して加工液の注入を停止する（Ｓ７）。流路調整具９を後退させ、貫通穴Ｗ２ａから抜く（Ｓ８）。注入口５を貫通穴Ｗ１ａの開口部から取り外す（Ｓ９）。工作物Ｗを保持台６から取り外す（Ｓ１０）。
【００２１】
以上のように、本実施形態によれば、流路調整具９の先端部９１を膨張・収縮させることで流路調整具９の先端部９１と稜線の隙間の大きさを調整できる。バリの背丈に合わせて除去開始時の隙間の大きさを調整することや、バリ除去の進行に併せて隙間を狭くすることで背丈の低いバリの除去能率を大きくすることができ、稜線のバリ除去や稜線先端の面取り加工の効率を向上することができる。
【００２２】
上記の実施形態では、隙間調整手段として、流路調整具９の先端部９１の空孔９２にエアを充填して隙間の大きさを調整する事例を示したが、図６に示すように、流路調整具９０を貫通穴Ｗ１ａのバリの発生している稜線と反対の稜線側の開口から挿入し、流路調整具９０を移動して隙間の大きさを調整してもよい。流路調整具９０は、貫通穴Ｗ１ａの内径よりわずかに小さな外径Ｄを備えた先端部９０１と軸部９０２より成る。また、図７に示すように、先端部９０１の端面は、交差する穴Ｗ２ａの半径に近い半径Ｒを備えている。流路調整具９０を図示しない移動装置によりＸ方向に前後進することで稜線と先端部９０１の間の隙間ｔ２の大きさを調整する。
【符号の説明】
【００２３】
Ｗ：工作物  Ｗ１ａ：貫通穴  Ｗ２ａ：貫通穴  Ｗ１ｂ：止まり穴  Ｗｂ:バリ  １:交差穴加工装置  ２:タンク  ３：ポンプ  ４：管路  ５：注入口  ６：保持台  ７：回収管路  ８：撹拌装置  ９：流路調整具  ９１：先端部  ９２：空孔  ９３：軸  ９４：エア管路  １０：流路調整具駆動装置  １１:エア源  １２：切換え弁  １３:管路  ３０：制御装置  ３１：加工液制御部  ３２：流路調整具制御部    
【図１】
2015104791.tif 000003
【図２】
2015104791.tif 000004
【図３】
2015104791.tif 000005
【図４】
2015104791.tif 000006
【図５】
2015104791.tif 000007
【図６】
2015104791.tif 000008
【図７】
2015104791.tif 000009